【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
第１始動入賞口および第２始動入賞口と、開状態と閉状態とに変換可能な変動入賞装置とを備え、前記第１始動入賞口への遊技球の入賞に基づき該変動入賞装置を第１の態様で開状態に変換させる第１補助遊技を実行する一方、前記第２始動入賞口への遊技球の入賞に基づき前記変動入賞装置を前記第１の態様よりも遊技者に有利な第２の態様で開状態に変換させる第２補助遊技を実行する遊技機において、
前記第２始動入賞口は、開状態への変換により当該第２始動入賞口へ遊技球を入賞し易くすることが可能な補助変動入賞装置として構成され、
所定の遊技条件の成立に基づき前記補助変動入賞装置を開状態に変換する補助変動入賞装置制御手段と、
前記補助変動入賞装置制御手段が前記補助変動入賞装置の開状態への変換制御を行っている場合において、前記第１始動入賞口へ遊技球が入賞した場合に、前記第１補助遊技の実行を一時的に保留して、当該開状態への変換制御による該補助変動入賞装置への遊技球の入賞が前記第２補助遊技の実行に対して有効となるように制御する補助遊技制御手段と、
を備えたことを特徴とする遊技機。
【請求項２】
前記補助遊技制御手段は、前記補助変動入賞装置制御手段が前記補助変動入賞装置の開状態への変換制御を行っている場合に、該補助変動入賞装置へ遊技球が入賞しなかった場合には、該補助変動入賞装置の開状態への変換制御が終了した後に前記保留している第１補助遊技を実行する一方、前記補助変動入賞装置へ遊技球が入賞した場合には該保留している第１補助遊技を無効にすることを特徴とする請求項１に記載の遊技機。
【請求項３】
前記補助遊技制御手段は、前記第１補助遊技の実行を保留している場合において、大当り状態が発生した場合には、当該保留している第１補助遊技の実行を無効にすることを特徴とする請求項１または請求項２に記載の遊技機。
【請求項４】
前記変動入賞装置は、一般入賞領域と、特別入賞領域と、受け入れた遊技球の該特別入賞領域への入賞難易度を変更可能な入賞難易度変更手段と、を備え、
前記第１補助遊技が実行された場合よりも、前記第２補助遊技が実行された場合の方が、前記特別入賞領域へ遊技球が入賞し易いように前記入賞難易度変更手段を制御する入賞難易度変更制御手段を備えたことを特徴とする請求項１から請求項３の何れかに記載の遊技機。
【請求項５】
前記補助遊技制御手段が前記第１補助遊技の実行を保留していることを報知可能な報知手段を備えたことを特徴とする請求項１から請求項４の何れかに記載の遊技機。
【請求項６】
前記補助変動入賞装置制御手段は、予め定められた特定遊技状態の発生に基づき、前記補助変動入賞装置の開状態への変換時間を通常状態よりも延長することを特徴とする請求項１から請求項５の何れかに記載の遊技機。
【手続補正２】
【補正対象書類名】明細書
【補正対象項目名】０００９
【補正方法】変更
【補正の内容】
【０００９】
【課題を解決するための手段】
上記目的を達成するため本発明に係る遊技機は、第１始動入賞口（１７ａ，１７ｂ）および第２始動入賞口（１８）と、開状態と閉状態とに変換可能な変動入賞装置（１５）とを備え、前記第１始動入賞口への遊技球の入賞に基づき該変動入賞装置を第１の態様で開状態に変換させる第１補助遊技を実行する一方、前記第２始動入賞口への遊技球の入賞に基づき前記変動入賞装置を前記第１の態様よりも遊技者に有利な第２の態様で開状態に変換させる第２補助遊技を実行する遊技機において、前記第２始動入賞口は、開状態への変換により当該第２始動入賞口へ遊技球を入賞し易くすることが可能な補助変動入賞装置（１８）として構成され、所定の遊技条件の成立に基づき前記補助変動入賞装置を開状態に変換する補助変動入賞装置制御手段（遊技制御装置２００）と、前記補助変動入賞装置制御手段が前記補助変動入賞装置の開状態への変換制御を行っている場合において、前記第１始動入賞口へ遊技球が入賞した場合に、前記第１補助遊技の実行を一時的に保留して、当該開状態への変換制御による該補助変動入賞装置への遊技球の入賞が前記第２補助遊技の実行に対して有効となるように制御する補助遊技制御手段（遊技制御装置２００）とを備えるようにした。
【手続補正３】
【補正対象書類名】明細書
【補正対象項目名】００３１
【補正方法】変更
【補正の内容】
【００３１】
入賞難易度変更手段としての回転体５０２の案内溝５０３は、図２（ｂ），（ｃ）に示すように、狭い受入口５０３ａと広い受入口５０３ｂを備えており、図２（ｂ）に示す停止状態(1)よりも図２（ｂ）に示す停止状態(2)の方が、より高い確率で遊技球を流下口１５０から特別入賞口６００へ導くことができるようになっている。なお、回転体用モータＭはモータ位置検出センサＳＳｍを備えており、通常遊技状態中には所定方向に継続回転している回転体５０２に対して、当該センサの検出信号により、前記第１補助遊技が実行されている場合には回転体５０２を図２（ｂ）の位置に、また前記第２補助遊技が実行されている場合には図２（ｃ）の位置に停止できるようになっている。これにより、第１補助遊技よりも第２補助遊技の方をより遊技者にとって有利に実行でき遊技内容を多彩化できると共に、遊技者にとって有利な第２補助遊技が無効となることを防止できる。
なお、変動入賞装置１５の所定位置には、可動部材Ａを介して流入した遊技球を検出するカウントセンサＳＳｃが設けられている。
【手続補正４】
【補正対象書類名】明細書
【補正対象項目名】００５３
【補正方法】変更
【補正の内容】
【００５３】
以上本発明者によってなされた発明を実施形態に基づき具体的に説明したが、本明細書で開示された実施の形態はすべての点で例示であって開示された技術に限定されるものではないと考えるべきである。すなわち、本発明の技術的な範囲は、上記の実施形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
例えば、補助遊技制御手段としての遊技制御装置２００は、第１補助遊技の実行を保留している場合において、大当り状態が発生した場合（例えば、補助変動入賞装置内に遊技球が存在している間に保留状態が発生して、その後その存在していた遊技球が特別入賞領域に入賞して大当たり状態が発生した場合）には、当該保留している第１補助遊技の実行を無効にするようにしてもよい。これにより、遊技者が極端に有利となってしまうことを防止でき、遊技店と遊技者との利益バランスを適正にすることができる。
【手続補正５】
【補正対象書類名】明細書
【補正対象項目名】００５５
【補正方法】変更
【補正の内容】
【００５５】
【発明の効果】
本発明によれば、補助遊技制御手段により、補助変動入賞装置制御手段が補助変動入賞装置の開状態への変換制御を行っている場合において第１始動入賞口へ遊技球が入賞した場合でも、第１補助遊技の実行が一時的に保留され、当該開状態への変換制御による該補助変動入賞装置への遊技球の入賞が前記第２補助遊技の実行に対して有効となるように制御されるので、補助変動入賞装置の開状態への変換制御が行われている場合に、補助変動入賞装置へ遊技球が入賞する前に第１始動入賞口へ遊技球が入賞したとしても、当該補助変動入賞装置への遊技球の入賞が無効となることを防止でき、また、その第１始動入賞口への遊技球の入賞も保留されて、その入賞が無視されることもないので、遊技者の不満を解消することができるという効果がある。